(57)【要約】      （修正有）【課題】カートリッジ本体とシャッタとの間を確実に遮光して、感光性記録媒体の曝光を防止すると共に防塵する。【解決手段】カートリッジ本体１１の表面に固着されている遮光補助板２３、２４は略コの字形の補助板溝部２３ａ、２４ａを備える。また、開口１８、１９を開閉するシャッタ１３（シャッタ部材５５）は略コの字形のシャッタ溝部５５ｄを備える。補助板溝部２３ａ、２４ａおよびシャッタ溝部５５ｄは、シャッタ１３が開口１８、１９を閉じる閉じ位置にあるとき、補助板溝部２３ａ、２４ａ側の端部およびシャッタ溝部５５ｄ側の端部が、互いに相手側のシャッタ溝部５５ｄおよび補助板溝部２３ａ、２４ａに挿入してラビリンス部を形成する。【選択図】図５
2007234078.tif 000002
【特許請求の範囲】
【請求項１】
ディスク状の感光性記録媒体と、
前記感光性記録媒体を回転自在に収容すると共に、前記感光性記録媒体の中心と記録面とを外部に露呈させる開口を有するカートリッジ本体と、
前記カートリッジ本体の外側に組み付けられて前記開口を閉じる閉じ位置と前記開口を開放する開き位置との間で移動自在に配設されたシャッタと、
を備える感光性記録媒体用カートリッジであって、
前記カートリッジ本体とは別部品であり、前記開口のシャッタ開方向側端縁に沿って前記カートリッジ本体の表面に固着され、シャッタ閉方向側端縁が外方に向かって折り曲げられた後、更にシャッタ開方向に折り曲げられて形成された略コの字形の補助板溝部が形成された遮光補助板を備え、
前記シャッタは、シャッタ開方向側端縁が前記カートリッジ本体側に折り曲げられた後、更にシャッタ閉方向に折り曲げられて形成された略コの字形のシャッタ溝部を備え、
前記シャッタが前記開口を閉じる閉じ位置にあるとき、前記遮光補助板の前記補助板溝部側の端部、および前記シャッタの前記シャッタ溝部側の端部が、互いに相手側の前記シャッタ溝部および前記補助板溝部に挿入されてラビリンス部を形成することを特徴とする感光性記録媒体用カートリッジ。
【発明の詳細な説明】
【技術分野】
【０００１】
本発明は、感光性記録媒体を収容する感光性録媒体用カートリッジに関し、特に、カートリッジ本体に設けられた開口を開閉するシャッタと、シャッタの外側に配置された遮光板と、を備えた感光性記録媒体用カートリッジの改良に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。また、カートリッジが、カートリッジ本体とシャッタ部材とシャッタカバーとを備えて構成されたものが知られている（例えば、特許文献３参照）。
【０００３】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
特許文献３に記載の発明は、開口部を有するカートリッジ本体の外方に、その開口部を開閉可能にシャッタ部材が設けられ、更に、シャッタ部材の移動領域の全域を覆うように大きなシャッタカバーが備えられたカートリッジが記載されている。
【０００６】
【特許文献１】特開２００４―０２９４７６号公報
【特許文献２】特開２００３―３１７４２２号公報
【特許文献３】特開２００１―２１６７５４号公報
【発明の開示】
【発明が解決しようとする課題】
【０００７】
ホログラム記録媒体を収容するカートリッジは、カートリッジ本体とシャッタとの間の遮光及び防塵が適切に行なわれないと、光や塵芥がカ一トリッジ内に進入し、ホログラム記録媒体に悪影響を与えてしまう。しかし、特許文献１には、カートリッジ本体とシャッタとの間の遮光及び防塵構造に関する記載がない。
【０００８】
また、特許文献２に記載のカートリッジは、カートリッジ本体とシャッタとの間をスポンジ状の遮光材で遮光しているが、この遮光材が剥がれ、または劣化した場合に適切な遮光及び防塵が行なえなくなるという問題がある。また、特許文献２記載のカートリッジは、シャッタカバーを備えておらず、シャッタが直接外部に露出しているので、シャッタが誤って開放されたり、大きな外力が作用した場合にシャッタが変形して、カートリッジ本体とシャッタとの間に隙間が発生する虞があり、ホログラム記録媒体が感光して使用できなくなる可能性があった。
【０００９】
特許文献３に記載のカートリッジは、シャッタカバーがカートリッジ筐体に形成された凹部に収容されて取り付けられており、シャッタの保護機能を有する。しかし、防塵構造に関しては記載されているものの、遮光構造についてはなんら記載されていない。また、平板状に形成されたシャッタカバーは、シャッタの外側に僅かな隙間でオーバーラップして配置されて遮光する構成であり、必ずしも十分な遮光性能を有しない虞があった。更に、シャッタカバーは、シャッタ部材の移動領域の全域を覆うため、大きく形成されているので、製作に多くの材料を要し、シャッタカバーのコストが割高となる問題があった。
【００１０】
本発明は、上記事情に鑑みてなされたもので、その目的は、カートリッジ本体とシャッタとの間を確実に遮光して、感光性記録媒体の曝光を防止すると共に防塵することができる安価な感光性記録媒体用カートリッジを提供することにある。
【課題を解決するための手段】
【００１１】
本発明の上記目的は、下記感光性記録媒体用カートリッジによって達成される。
（１）  ディスク状の感光性記録媒体と、前記感光性記録媒体を回転自在に収容すると共に、前記感光性記録媒体の中心と記録面とを外部に露呈させる開口を有するカートリッジ本体と、前記カートリッジ本体の外側に組み付けられて前記開口を閉じる閉じ位置と前記開口を開放する開き位置との間で移動自在に配設されたシャッタと、を備える感光性記録媒体用カートリッジであって、前記カートリッジ本体とは別部品であり、前記開口のシャッタ開方向側端縁に沿って前記カートリッジ本体の表面に固着され、シャッタ閉方向側端縁が外方に向かって折り曲げられた後、更にシャッタ開方向に折り曲げられて形成された略コの字形の補助板溝部が形成された遮光補助板を備え、前記シャッタは、シャッタ開方向側端縁が前記カートリッジ本体側に折り曲げられた後、更にシャッタ閉方向に折り曲げられて形成された略コの字形のシャッタ溝部を備え、前記シャッタが前記開口を閉じる閉じ位置にあるとき、前記遮光補助板の前記補助板溝部側の端部、および前記シャッタの前記シャッタ溝部側の端部が、互いに相手側の前記シャッタ溝部および前記補助板溝部に挿入されてラビリンス部を形成することを特徴とする感光性記録媒体用カートリッジ。
【００１２】
上記構成の感光性記録媒体用カートリッジによれば、カートリッジ本体の表面に、カートリッジ本体と別部品として形成された遮光補助板が、開口のシャッタ開方向側端縁に沿って固着されている。遮光補助板は、シャッタ閉方向側端縁が外方に向かって折り曲げられた後、更にシャッタ開方向に折り曲げられて形成された略コの字形の補助板溝部を備える。また、開口を開閉するシャッタは、シャッタ開方向側端縁がカートリッジ本体側に折り曲げられた後、更にシャッタ閉方向に折り曲げられて形成された略コの字形のシャッタ溝部を備える。補助板溝部およびシャッタ溝部は、シャッタが開口を閉じる閉じ位置にあるとき、補助板溝部側の端部およびシャッタ溝部側の端部が、互いに相手側のシャッタ溝部および補助板溝部に挿入してラビリンス部を形成するので、カートリッジ本体とシャッタとの間を確実に遮光して記録ディスクの曝光を防止することができる。
【発明の効果】
【００１３】
本発明の感光性記録媒体用カートリッジによれば、カートリッジ本体とシャッタとの間を確実に遮光して、感光性記録媒体の曝光を防止すると共に防塵することができる安価な感光性記録媒体用カートリッジを提供することができる。
【発明を実施するための最良の形態】
【００１４】
以下、本発明の実施形態を図面に基づいて詳しく説明する。図１はカートリッジの一方の面から見た状態を示す斜視図、図２は反対側の面から見た状態を示す斜視図、図３はシャッタが閉じた状態を示す平面図、図４はシャッタが開いた状態を示す反対側の面の平面図、図５はカートリッジの分解斜視図、図６は図３におけるＡ−Ａ線での断面図である。
【００１５】
図１から図４に示すように、カートリッジ２は、このカートリッジを取り扱うホログラム記録装置等に対し、矢印Ｂ方向から装填される。カートリッジ２の装填方向先端の両側面には、カートリッジ２がホログラム記録装置等の各種機器に装填された際に、各機器に設けられた位置決め部材が挿入される位置決め溝７,８が設けられている。
【００１６】
記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にしてホログラム記録装置にセットされる。
【００１７】
カートリッジ２は、ディスク収容部３が設けられたカートリッジ本体１１と、このカートリッジ本体１１の外側を挟み込むようにして取り付けられる遮光板１２と、遮光補助板２３、２４と、カートリッジ本体１１と遮光板１２との間に組み込まれるシャッタ１３とを備えている。遮光板１２は、第１遮光板２０と、第２遮光板２１、２２と、から構成される。
【００１８】
カートリッジ本体１１のＡ面２ａおよびＢ面２ｂ（図３、図４において紙面に垂直面）には、略長方形の開口１８、１９が形成されている。これらの開口１８、１９は、シャッタ１３が閉じ位置にあるときに、第１シャッタ５５ａ,第２シャッタ５５ｂによって閉じられている。
【００１９】
図４に示すように、シャッタ１３が矢印Ｃ方向の開き位置に向けて移動すると、開口１８,１９が開放される。これにより、ディスク収容部３内に収容されている記録ディスク４の中心部４ａと、記録面４ｂとが外部に露呈される。
【００２０】
図５も参照して、シャッタ１３は、内蔵するシャッタバネによって閉じ位置に付勢され、かつロック機構２７によって閉じ位置でロックされている。詳しい説明は省略するが、ロック機構２７は、シャッタ１３と係合してシャッタ１３を閉じ位置でロックする第１のロック部材６３と、第１のロック部材６３の移動を阻止する第２のロック部材６４とを備える。
【００２１】
ロック機構２７によるシャッタ１３のロックは、位置決め溝７内に突出されている第２のロック部材６４をカートリッジ２内に押し込み、その状態でカートリッジ２のＡ面２ａ及びＢ面２ｂの開口７３,７２から露呈されている第１のロック部材６３をカートリッジ装填方向の後端側にスライドさせことにより解除される。このように、シャッタ１３は、２段階の操作を行なわなければ解除されないロック機構２７によって閉じ位置でロックされているため、シャッタ１３が不用意に開放されることはない。
【００２２】
図５に示すように、カートリッジ本体１１は、略板状の第１シェル２５と、この第１シェル２５に接合される第２シェル２６と、第１シェル２５と第２シェル２６との間に組み込まれてシャッタ１３のロックを行なうロック機構２７とから構成されている。
【００２３】
第１シェル２５と第２シェル２６は、例えば、遮光性物質と滑剤とが添加された同一または類似の熱可塑性プラスチックを用いて、射出成形により形成されている。第１シェル２５の内面には、記録ディスク４の外径よりも大きな径で形成された突条である第１の遮光壁（図示せず）と、この第１の遮光壁の外側に設けられた第２の遮光壁（図示せず）と、端縁全周に設けられた突条３２とが設けられている。第１の遮光壁の内側には、記録ディスク４の中心部４ａと記録面４ｂとを外部に露呈させる開口１８が設けられている。
【００２４】
第２シェル２６の内面には、記録ディスク４の外径よりも大きな径で形成された突条であり、第１シェル２５の第１の遮光壁と第２の遮光壁との間に挿入される第３の遮光壁３５と、端縁全周に設けられた突条３６とが設けられている。第３の遮光壁３５の内側には、記録ディスク４の中心部４ａと記録面４ｂとを外部に露呈させる開口１９が設けられている。
【００２５】
第２シェル２６の第３の遮光壁３５の内側に記録ディスク４を乗せ、第１シェル２５を第２シェル２６の上面に重ね合わせると、第３の遮光壁３５が第１シェル２５の第１の遮光壁と第２の遮光壁との間に挿入される。ディスク収容部３は、これらの遮光壁と、第１シェル２５及び第２シェル２６の内面とによって形成される。ディスク収容部３の側壁は、３枚の遮光壁が入り組んで形成されたラビリンス状の遮光構造となる。そのため、第１シェル２５及び第２シェル２６の合せ目から光や塵芥が入り込んでも、これらがディスク収容部３内にまで進入することはない。
【００２６】
図５および図６に示すように、第１シェル２５のシャッタ開方向側の端部外面には、第１遮光板２０の厚み以上の深さで内側にオフセットされた第１の遮光板取付面２５ａが形成されている。また、開口１８のシャッタ閉方向側の側部および下部には、第１遮光板２０と第２遮光板２１との合計の厚み以上の深さで内側にオフセットされた略Ｌ字形の第２の遮光板取付面２５ｂが形成されている。
【００２７】
第１シェル２５と同様に、第２シェル２６のシャッタ開方向側の端部外面には、第１遮光板２０の厚み以上の深さで内側にオフセットされた第１の遮光板取付面２６ａが形成されている。また、開口１９のシャッタ閉方向側の側部および下部には、第１遮光板２０と第２遮光板２２との合計の厚み以上の深さで内側にオフセットされた略Ｌ字形の第２の遮光板取付面２６ｂが形成されている。
【００２８】
第２の遮光板取付面２５ｂ、２６ｂで囲まれた開口１８、１９の周囲には、第２の遮光板取付面２５ｂ、２６ｂよりシャッタ部材５５の厚み以上の深さで内側にオフセットされた第１のシャッタ摺動面２５ｃ,２６ｃが形成されている。また、第１のシャッタ摺動面２５ｃ,２６ｃよりシャッタ開方向側の外表面は、後述するシャッタ部材５５に略コの字形に形成されたシャッタ溝部５５ｄの厚み以上の深さで内側にオフセットされた第２のシャッタ摺動面２５ｄ,２６ｄが形成されている。
【００２９】
更に、第２のシャッタ摺動面２５ｄ,２６ｄには、開口１８、１９のシャッタ開方向側に、開口周縁部１８ａ、１９ａに沿って内側にオフセットされた補助板取付面２５ｅ、２６ｅが形成されている。
【００３０】
図５に示すように、シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光性、耐食性、装飾性、加工性を得ることができ、かつ軽量で強度のあるものとして、例えば、アルミニウム合金で形成されている。なお、シャッタ部材５５は、プラスチックで形成してよいが、遮光性と滑り性とを確保するために、遮光性物質と滑剤とが添加されたプラスチックを用いるとよい。スライド部材５６は、遮光性物質と滑剤とが添加されたプラスチックで形成されている。
【００３１】
シャッタ部材５５は、第１シェル２５の第１のシャッタ摺動面２５ｃに摺動自在に取り付けられる第１シャッタ５５ａと、第２シェル２６の第１のシャッタ摺動面２６ｃに摺動自在に取り付けられる第２シャッタ５５ｂと、これら第１シャッタ５５ａと第２シャッタ５５ｂを連設するとともに、スライド部材５６が取り付けられる連設部５５ｃとを備えている。
【００３２】
図６も参照して、第１シャッタ５５ａおよび第２シャッタ５５ｂのシャッタ開方向側の端部は、内側に折り曲げられた後、更にシャッタ閉じ方向に折り曲げられて略コの字形に形成されたシャッタ溝部５５ｄが形成されている。
【００３３】
シャッタ部材５５は、第１シャッタ５５ａと第２シャッタ５５ｂとで、第１シェル２５と第２シェル２６の外面に形成された第１のシャッタ摺動面２５ｃ,２６ｃを挟み込み、且つ連設部５５ｃでカートリッジ本体１１の装填方向Ｂの先端を覆うようにして、カートリッジ本体１１の第１のシャッタ摺動面２５ｃ,２６ｃに取り付けられる。このとき、シャッタ溝部５５ｄは、第２のシャッタ摺動面２５ｄ,２６ｄに対向して位置する。
【００３４】
第１のシャッタ摺動面２５ｃ,２６ｃは、シャッタ部材５５の厚み以上の深さで内側にオフセットされて形成されているので、シャッタ１３はカートリッジ本体１１と後に詳述する遮光板１２との間をスムースに移動することができる。これにより、シャッタ１３の移動による切屑等の発生を抑えることができる。なお、第１のシャッタ摺動面２５ｃ,２６ｃは、入射した光を拡散するために、粗面にしてもよい。同様に遮光板１２の内面、及びシャッタ１３の内面及び外面も粗面にしてもよい。
【００３５】
また、第２のシャッタ摺動面２５ｄ,２６ｄはシャッタ溝部５５ｄの厚み以上の深さで内側にオフセットされて形成されているので、シャッタ溝部５５ｄは、第２のシャッタ摺動面２５ｄ,２６ｄ上をスムースに移動することができる。
【００３６】
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられており、この取付面５６ａは、シャッタ部材５５の連設部５５ｃと、ビス止め、接着剤、両面テープ、溶着等により固定される。
【００３７】
スライド部材５６の側面には、長手方向に沿って溝５６ｂが形成されており、第１シェル２５及び第２シェル２６の装填方向先端側の内面に設けられた突条とスライド自在に嵌合する。スライド部材５６の他方の上面端部には、シャッタ１３を開く際に操作される被操作部５６ｄが突出して一体に形成されている。この被操作部５６ｄは、シャッタ部材５５に対し、シャッタの閉じ方向に伸ばしたスライド部材５６の端部に設けたことにより、第１遮光板２０の第３の板部２０ｃに隠れることなく外部に露出されている。第１遮光板２０の第３の板部２０ｃの切欠４０は、シャッタ１３が開き位置に移動した際に、被操作部５６ｄとの干渉を避けるために設けられている。
【００３８】
スライド部材５６には、被操作部５６ｄに隣接して被ロック溝５６ｅが形成されている。被ロック溝５６ｅは、ロック機構２７を構成する第１のロック部材６３と係合してシャッタ１３を閉じ位置でロックする。
【００３９】
シャッタ１３は、シャッタバネ５９により閉じ方向に付勢されている。シャッタバネ５９は、例えば、捩じりコイルバネからなり、その両端は、スライド部材５６と、第１シェル２５の内面とに係止されている。
【００４０】
遮光板１２（第１遮光板２０および第２遮光板２１、２２）の材質には、シャッタ部材５５と同様の理由により、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。
【００４１】
図４から図６に示すように、第１遮光板２０は、アルミニウム合金の薄板に凹部２０ｄと、シャッタ１３の移動範囲を得るための切欠４０とを形成し、断面が略コ字形状となるように屈曲させたものである。これにより、第１遮光板２０には、第１の板部２０ａ及び第２の板部２０ｂと、第１の板部２０ａと第２の板部２０ｂとを連設させる第３の板部２０ｃとが設けられている。
【００４２】
第１の板部２０ａ及び第２の板部２０ｂに形成された凹部２０ｄは、カートリッジ本体１１の開口１８、１９に対応して形成されており、シャッタ１３が開いたとき開口１８、１９を外部に露出させる。
【００４３】
第１遮光板２０は、第１の板部２０ａ及び第２の板部２０ｂでカートリッジ本体１１のＡ面２ａ及びＢ面２ｂを挟み込み、かつ第３の板部２０ｃでカートリッジ本体１１の装填方向Ｂの先端を覆うようにして、第１の遮光板取付面２５ａにねじ止め等により取り付けられる。
【００４４】
第２遮光板２１、２２は、略Ｌ字形に形成された平板状部材であり、開口１８、１９のシャッタ閉方向側の側部および下部に形成された略Ｌ字形の第２の遮光板取付面２５ｂ、２６ｂに固定される。このとき、図６に示すように、第２遮光板２１および第２遮光板２２は、第１のシャッタ摺動面２５ｃ,２６ｃにオーバーハングした状態で取り付けられて、第２遮光板２１の内面と第１のシャッタ摺動面２５ｃ、および第２遮光板２２の内面と第１のシャッタ摺動面２６ｃ、との間に、シャッタ部材５５（第１シャッタ５５ａおよび第２シャッタ５５ｂ）を受け入れるための隙間Ｘが形成される。即ち、シャッタ１３が閉じられたとき、シャッタ部材５５のシャッタ閉じ方向側の端部は、隙間Ｘに挿入されてラビリンスが形成され、遮光する。
【００４５】
図３および図４に示すように、第２遮光板２１、２２の上端部２１ａ、２２ａは、第１遮光板２０と第２の遮光板取付面２５ｂ、２６ｂの間に挟持されて取り付けられるが、第２の遮光板取付面２５ｂ、２６ｂの深さは、第１遮光板２０と第２遮光板２２との合計の厚み、第１遮光板２０と第２遮光板２２との合計の厚み以上の深さで内側にオフセットされているので、支障なく取り付けることができる。
【００４６】
図５および図６に示すように、遮光補助板２３、２４は、遮光板１２と同様の理由により、例えばアルミニウム合金が用いられ、別部材として形成されている。遮光補助板２３、２４は、板状部材の一端が、外側に折り曲げられた後、更にシャッタ開き方向に折り曲げられて、略コの字形に形成されて補助板溝部２３ａ、２４ａが形成されている。遮光補助板２３、２４は、開口周縁部１８ａ、１９ａに沿って形成された補助板取付面２５ｅ、２６ｅに取り付けられる。これにより、シャッタ１３が閉じ位置にあるとき、補助板溝部２３ａ、２４ａとシャッタ溝部５５ｄとは、互いにその先端部が相手側のコの字形内に入り込み、これによりラビリンス部６０が形成される。
【００４７】
なお、遮光板１２（第１遮光板２０、第２遮光板２１、２２）および遮光補助板２３、２４のカートリッジ本体１１への固着方法としては、接着剤や両面テープ、ねじ止め等を用いることができる。また、遮光板１２および遮光補助板２３、２４をプラスチックで形成した場合には、各種溶着を用いることもできる。
【００４８】
このようなカートリッジ２は、第２シェル２６の第３の遮光壁３５の内側に記録ディスク４を乗せ、第１シェル２５を第２シェル２６の上面に重ね合わせて、ディスク収容部３内に記録ディスク４を収容する。次いで、遮光補助板２３および遮光補助板２４を補助板取付面２５ｅ、２６ｅに取り付ける。
【００４９】
更に、シャッタ部材５５が、第１シャッタ５５ａと第２シャッタ５５ｂとで第１のシャッタ摺動面２５ｃ,２６ｃを挟み込み、且つ連設部５５ｃでカートリッジ本体１１の装填方向Ｂの先端を覆うようにして、カートリッジ本体１１の第１のシャッタ摺動面２５ｃ,２６ｃに取り付けられる。これにより、シャッタ１３が閉じ位置にあるとき、遮光補助板２３、２４の補助板溝部２３ａ、２４ａと、シャッタ部材５５のシャッタ溝部５５ｄとは、互いにその先端部が相手側のコの字形内に入り込み、これによりラビリンス部６０を形成する。
【００５０】
次に、略Ｌ字形の第２遮光板２１、２２を、第２の遮光板取付面２５ｂ、２６ｂに固定した後、第１遮光板２０が、第１の板部２０ａ及び第２の板部２０ｂでカートリッジ本体１１のＡ面２ａ及びＢ面２ｂを挟み込み、かつ第３の板部２０ｃでカートリッジ本体１１の装填方向Ｂの先端を覆うようにして、第１の遮光板取付面２５ａにねじ止め等により取り付けられて、カートリッジ２が組み付けられる。
【００５１】
上記したように、第１シャッタ５５ａと第１のシャッタ摺動面２５ｃの間,および第２シャッタ５５ｂと第１のシャッタ摺動面２６ｃとの間は、第１シャッタ５５ａおよび第２シャッタ５５ｂのシャッタ閉じ方向の側部および下部が、第２遮光板２１、２２により遮光される。また、第１シャッタ５５ａおよび第２シャッタ５５ｂのシャッタ開方向の側部が、遮光補助板２３、２４の補助板溝部２３ａ、２４ａとシャッタ部材５５のシャッタ溝部５５ｄとから構成されるラビリンス部６０により遮光される。更に、カートリッジ本体１１の装填方向Ｂの前方からの光は、第１遮光板２０により遮光される。これにより、シャッタ部材５５の全周が遮光されて、高い遮光性能が確保される。
【００５２】
次に、カートリッジの作動について図７を参照して説明する。図７はシャッタを開放するための各種機構の一例を示す説明図である。図７に示すように、カートリッジ２を装填して使用されるホログラム記録装置内には、例えば、１対の位置決め部材７７ａ,７７ｂと、第１のロック部材６３を操作するロック解除機構７８と、シャッタ１３を開き位置と閉じ位置との間でスライドさせるシャッタスライド機構８０とが組み込まれている。一対の位置決め部材７７ａ,７７ｂは、装填されたカートリッジ２の両側面の位置決め溝７,８に係合して、カートリッジ２の挿入方向、及びこの挿入方向に直交する方向でカートリッジ２を位置決めする。
【００５３】
ロック解除機構７８は、カートリッジ２の開口７３から第１のロック部材６３に挿入される係合ピン７９ａと、この係合ピン７９ａを第１のロック部材６３のロック解除方向にスライドさせるスライド機構とを備えている。ロック解除機構７８は、カートリッジ２が反転して装填された場合でもロック部材６３に係合できるように、反転装填時用の係合ピン７９ｂを備えている。
【００５４】
シャッタスライド機構８０は、スライド部材５６の被操作部５６ｄの外側に当接する操作片８０ａと、この操作片８０ａをシャッタ１３のスライド方向にスライドさせるスライド機構とを備えている。このシャッタスライド機構８０も、カートリッジ２の反転挿入に対応するためにもう一つの操作片８０ｂを備えており、操作片８０ａ,８０ｂは同時に矢印方向に移動される。
【００５５】
カートリッジ２が上記ホログラム記録装置に装填されると、位置決め部材７７ａが位置決め溝７に挿入される。また、ロック解除機構７８の係合ピン７９ａが第１のロック部材６３に挿入され、シャッタスライド機構８０の操作片８０ａが、スライド部材５６の被操作部５６ｄの外側に配置される。位置決め部材７７ａは、第２のロック部材６４をロックバネ６５の付勢に抗して押庄する。これにより、第２のロック部材６４が回動して、第１のロック部材６３との係合を解除し、第１のロック部材６３の移動を許容する。
【００５６】
次いで、ロック解除機構７８は、係合ピン７９ａを解除方向にスライドさせて、第１のロック部材６３とスライド部材５６との係合を解除する。その後、シャッタスライド機構８０が操作片８０ａを図中左方の開き方向に向けてスライドさせることで、シャッタ１３が開放される。
【００５７】
このように、ロック機構２７は、第２のロック部材６４を回動させ、更に第１のロック部材６３をスライドさせなければ解除されないため、シャッタ１３が不用意に開放されるのを効果的に阻止して、感光性記録媒体４の感光を防止することができる。
【００５８】
上記したように、本実施形態の感光性記録媒体用カートリッジ２によれば、カートリッジ本体１１とシャッタ１３との間を確実に遮光して、感光性記録媒体４の曝光を防止すると共に防塵することができる安価な感光性記録媒体用カートリッジ２を提供することができる。
【００５９】
尚、上記した実施形態においては、遮光板が小さく分割された例について説明したが、一枚で形成した遮光板にも同様に適用することができ、同様の効果を奏する。また、両面に記録が可能な記録ディスクを収容するカートリッジを例に説明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。
【００６０】
さらに、上記実施形態では、カートリッジの表裏面の開口が同時に開閉するシャッタ構造を例にあげたが、表面と裏面とが独立して開閉する構造にも適用できる。その場合には、シャッタ部材、スライド部材を表面、裏面にそれぞれ一対に配置し、カートリッジの開口を開閉するように構成すればよい。
【図面の簡単な説明】
【００６１】
【図１】カートリッジの一方の面から見た状態を示す外観斜視図である。
【図２】反対側の面から見た状態を示す外観斜視図である。
【図３】シャッタが閉じた状態を示すカートリッジの平面図である。
【図４】シャッタが開いた状態を示す反対側の面の平面図である。
【図５】カートリッジの分解斜視図である。
【図６】図３におけるＡ−Ａ線での断面拡大図である。
【図７】シャッタを開放するための各種機構の一例を示す説明図である。
【符号の説明】
【００６２】
２           カートリッジ（感光性記録媒体用カートリッジ）
４           記録ディスク（感光性記録媒体、ホログラム記録媒体）
４ａ         感光性記録媒体の中心部
４ｂ         感光性記録媒体の記録面
１１         カートリッジ本体
１３         シャッタ
１８         開口
１９         開口
２３         遮光補助板
２３ａ       補助板溝部
２４         遮光補助板
２４ａ       補助板溝部
５５         シャッタ部材
５５ｄ       シャッタ溝部
６０         ラビリンス部
【図１】
2007234078.tif 000003
【図２】
2007234078.tif 000004
【図３】
2007234078.tif 000005
【図４】
2007234078.tif 000006
【図５】
2007234078.tif 000007
【図６】
2007234078.tif 000008
【図７】
2007234078.tif 000009